(57)【要約】【課題】  携帯電話機での発信時に文字情報を入力して発信する１度の発信操作で、圏外から圏内に復帰する等の通話可能状態となった着信側の携帯電話機に、先に発信された発信電話番号及び文字情報を表示させることができること。【解決手段】  交換機１２で、発ＭＳ２１からの文字情報が設定された発信要求信号の受信時に、発信先の着ＭＳ２２が留守番電話起動状態の場合、発ＭＳ２１を留守番電話センタ１４へ接続するための接続要求信号にその文字情報を設定してセンタ１４へ送信する。センタ１４で、その接続要求信号中の文字情報をＳＭＳ信号に変換後ＳＣ１５へ送信する。ＳＣ１５で、そのＳＭＳ信号に変換された文字情報を発信電話番号と共に蓄積し、この文字情報及び発信電話番号を、着ＭＳ２２が通話可能状態となった際にＳＭＳ信号にて着ＭＳ２２へ配信する。【選択図】図１
2008022342.tif 000002
【特許請求の範囲】
【請求項１】
発信側携帯電話機にて通話発信時に入力された文字情報を発信要求信号に設定して発信し、この発信要求信号を受信した交換機がその要求に該当する着信側携帯電話機へ着信処理を行い、この着信時に着信側携帯電話機に発信側の発信電話番号及び文字情報を表示させる電話着信時文字表示システムにおいて、
前記交換機は、前記発信要求信号を受信した際の処理時に、加入者情報管理用のサービスコントロールポイントであるＳＣＰから前記着信側携帯電話機の留守番電話起動状態が通知されると、前記発信側携帯電話機を留守番電話センタへ接続するための接続要求信号に前記発信要求信号中の文字情報を設定し、この設定後の接続要求信号を前記留守番電話センタへ送信する文字情報設定送信手段を備え、
前記留守番電話センタは、前記文字情報が設定された接続要求信号を受信した際に、この受信信号中の文字情報をショートメッセージであるＳＭＳ信号に変換した後、ＳＭＳ蓄積用のサーバであるＳＣへ送信するＳＭＳ変換送信手段を備え、
前記ＳＣは、前記ＳＭＳ信号に変換された文字情報を受信して発信電話番号に対応付けて蓄積し、この蓄積された発信電話番号及び文字情報を、前記着信側携帯電話機が通話可能状態となった際にＳＭＳ信号によって前記着信側携帯電話機へ配信するＳＭＳ蓄積配信手段を備えることを特徴とする電話着信時文字表示システム。
【請求項２】
発信側携帯電話機にて通話発信時に入力された文字情報を発信要求信号に設定して発信し、この発信要求信号を受信した交換機がその要求に該当する着信側携帯電話機へ着信処理を行い、この着信時に着信側携帯電話機に発信側の発信電話番号及び文字情報を表示させる電話着信時文字表示システムにおいて、
前記交換機は、前記発信要求信号を受信した際の処理時に、加入者情報管理用のサービスコントロールポイントであるＳＣＰに対して問合せを行うことで、前記発信要求信号で示される発信先の着信側携帯電話機が通話可能状態か否かを確認する着信側通話状態確認手段と、この手段で該当着信側携帯電話機が通話不能状態と確認された際に、前記発信要求信号中の文字情報をショートメッセージであるＳＭＳ信号に変換した後、ＳＭＳ蓄積用のサーバであるＳＣへ送信するＳＭＳ変換送信手段とを備え、
前記ＳＣは、前記ＳＭＳ信号に変換された文字情報を受信して発信電話番号に対応付けて蓄積し、この蓄積された発信電話番号及び文字情報を、前記着信側携帯電話機が通話可能状態となった際にＳＭＳ信号によって前記着信側携帯電話機へ配信するＳＭＳ蓄積配信手段を備えることを特徴とする電話着信時文字表示システム。
【発明の詳細な説明】
【技術分野】
【０００１】
本発明は、発信側の携帯電話機で通話発信を行う際に相手への用件等の文字情報を入力して発信し、この発信に応じた相手側（着信側）の携帯電話機の着信時に、発信側の電話番号と文字情報を表示させる電話着信時文字表示システムに関する。
【背景技術】
【０００２】
着信時に携帯電話機に発信側電話番号や文字情報を表示する従来の技術として、例えば特許文献１〜３に記載されたシステムがある。
特許文献１は、電話ネットワークに発信電話番号に対応して登録した通知情報を発信電話番号とともに着信側携帯電話機で画面表示する方法であって、電話ネットワークに、発信電話番号に対応した通知情報を予め登録する。この登録後に電話ネットワークに発信し、この発信電話番号に対応する登録済みの通知情報を読み出し、この通知情報及び発信電話番号を着信側の携帯電話機に送信して表示させるシステムである。
【０００３】
特許文献２及び３は、着信側の携帯電話機がサービス圏外にいるか、電源がオフにされているか、もしくは通話中で、着信側の携帯電話機を呼び出せなかった場合に、発信側の携帯電話番号と、着信側の携帯電話番号及び着信日時の情報を着信情報格納通知サーバに格納することによって、着信側の携帯電話機に対して周期的にそれらの情報を送って表示させるシステムである。
【特許文献１】特開２０００−３０７７３０号公報
【特許文献２】特開２００１−２５１６８６号公報
【特許文献３】特開２００４−３２６９６号公報
【発明の開示】
【発明が解決しようとする課題】
【０００４】
しかし、従来の電話着信時文字表示システムでは、一般的に、発信側の携帯電話機で文字情報を入力して発信し、この発信に応じた相手側の着信時に、発信側電話番号と文字情報を表示させることが可能であるが、着信側携の帯電話機が圏外に存在する等の通話不能状態にある場合、文字情報を通知することはできない。また、着信側携帯電話機が圏内に復帰する等の通話可能状態となった場合に、誰から電話があったのかを、ＳＭＳ(Short Message Service：携帯電話機同士で短い文字メッセージを送受信できるサービス)で発信電話番号と発信日時を通知するサービスは存在するが、伝言内容などの文字情報を通知することができないという問題がある。
【０００５】
上記特許文献２及び３では、着信側の携帯電話機が通話可能状態に復帰した際に当該携帯電話機に発信電話番号に加え発信日時を表示することはできるが、発信の電話番号と日時のみなので、伝言内容などの文字情報を通知することができないという問題がある。
上記特許文献１は、着信側の携帯電話機に表示させる情報を電話ネットワークに予め登録する処理と、この登録後に電話ネットワークに発信する処理とが必要となるので、予め登録する処理を行うための余分な操作が増えるという問題がある。
【０００６】
本発明は、このような課題に鑑みてなされたものであり、携帯電話機での発信時に文字情報を入力して発信する１度の発信操作で、圏外から圏内に復帰する等の通話可能状態となった着信側の携帯電話機に、先に発信された発信電話番号及び文字情報を表示させることができる電話着信時文字表示システムを提供することを目的としている。
【課題を解決するための手段】
【０００７】
上記目的を達成するために、本発明の請求項１による着信時文字表示システムは、発信側携帯電話機にて通話発信時に入力された文字情報を発信要求信号に設定して発信し、この発信要求信号を受信した交換機がその要求に該当する着信側携帯電話機へ着信処理を行い、この着信時に着信側携帯電話機に発信側の発信電話番号及び文字情報を表示させる電話着信時文字表示システムにおいて、前記交換機は、前記発信要求信号を受信した際の処理時に、加入者情報管理用のサービスコントロールポイントであるＳＣＰから前記着信側携帯電話機の留守番電話起動状態が通知されると、前記発信側携帯電話機を留守番電話センタへ接続するための接続要求信号に前記発信要求信号中の文字情報を設定し、この設定後の接続要求信号を前記留守番電話センタへ送信する文字情報設定送信手段を備え、前記留守番電話センタは、前記文字情報が設定された接続要求信号を受信した際に、この受信信号中の文字情報をショートメッセージであるＳＭＳ信号に変換した後、ＳＭＳ蓄積用のサーバであるＳＣへ送信するＳＭＳ変換送信手段を備え、前記ＳＣは、前記ＳＭＳ信号に変換された文字情報を受信して発信電話番号に対応付けて蓄積し、この蓄積された発信電話番号及び文字情報を、前記着信側携帯電話機が通話可能状態となった際にＳＭＳ信号によって前記着信側携帯電話機へ配信するＳＭＳ蓄積配信手段を備えることを特徴とする。
【０００８】
この構成によれば、着信側携帯電話機が例えば通信圏外に存在する通話不能状態であっても、発信側携帯電話機での発信時に文字情報を入力したのち発信する１度の発信操作で発信を行っておけば、着信側携帯電話機が圏内に復帰する通話可能状態となった際に、この着信側携帯電話機に先に発信された文字情報を発信電話番号とともに表示させることができる。
【０００９】
また、本発明の請求項２による電話着信時文字表示システムは、発信側携帯電話機にて通話発信時に入力された文字情報を発信要求信号に設定して発信し、この発信要求信号を受信した交換機がその要求に該当する着信側携帯電話機へ着信処理を行い、この着信時に着信側携帯電話機に発信側の発信電話番号及び文字情報を表示させる電話着信時文字表示システムにおいて、前記交換機は、前記発信要求信号を受信した際の処理時に、加入者情報管理用のサービスコントロールポイントであるＳＣＰに対して問合せを行うことで、前記発信要求信号で示される発信先の着信側携帯電話機が通話可能状態か否かを確認する着信側通話状態確認手段と、この手段で該当着信側携帯電話機が通話不能状態と確認された際に、前記発信要求信号中の文字情報をショートメッセージであるＳＭＳ信号に変換した後、ＳＭＳ蓄積用のサーバであるＳＣへ送信するＳＭＳ変換送信手段とを備え、前記ＳＣは、前記ＳＭＳ信号に変換された文字情報を受信して発信電話番号に対応付けて蓄積し、この蓄積された発信電話番号及び文字情報を、前記着信側携帯電話機が通話可能状態となった際にＳＭＳ信号によって前記着信側携帯電話機へ配信するＳＭＳ蓄積配信手段を備えることを特徴とする。
【００１０】
この構成によれば、着信側携帯電話機が例えば通信圏外に存在する通話不能状態であっても、発信側携帯電話機での発信時に文字情報を入力したのち発信する１度の発信操作で発信を行っておけば、着信側携帯電話機が圏内に復帰する通話可能状態となった際に、この着信側携帯電話機に先に発信された文字情報を発信電話番号とともに表示させることができる。
【発明の効果】
【００１１】
以上説明したように本発明によれば、携帯電話機での発信時に文字情報を入力して発信する１度の発信操作で、圏外から圏内に復帰する等の通話可能状態となった着信側の携帯電話機に、先に発信された発信電話番号及び文字情報を表示させることができるという効果がある。
【発明を実施するための最良の形態】
【００１２】
以下、本発明の実施の形態を、図面を参照して説明する。但し、本明細書中の全図において相互に対応する部分には同一符号を付し、重複部分においては後述での説明を適時省略する。
（第１の実施の形態）
図１は、本発明の第１の実施の形態に係る電話着信時文字表示システムの構成を示すブロック図である。
【００１３】
図１に示す電話着信時文字表示システム１０は、移動体通信網１１と、この移動体通信網１１に有線接続された発信側交換機（発ＬＭＭＳとも称す）１２と、加入者ＤＢ(Data base)１３ａを有するＳＣＰ(Service Control Point)１３と、留守番電話センタ（ＮＭＩＳとも称す）１４と、ＳＭＳ蓄積用のサーバであるＳＣ(Service Center)１５と、着信側交換機（着ＬＭＭＳとも称す）１６とを備えると共に、移動体通信網１１に無線接続される複数の携帯電話機２１，２２を備えて構成されている。
【００１４】
また、発信側交換機１２は文字情報設定送信装置１２ａを備え、留守番電話センタ１４はＳＭＳ変換送信装置１４ａを、ＳＣ１５はＳＭＳ蓄積配信装置１５ａを備えている。
但し、本実施の形態では一方の携帯電話機２１を発信側として発ＭＳ２１とも称し、他方の携帯電話機２２を着信側として着ＭＳ２２と称す。
発ＭＳ２１は、ユーザが通話の発信時にキー操作によって文字情報を入力した際に、この文字情報を発信要求信号に設定する処理を行い、その後、ユーザが発信操作を行った際に、発信要求信号と共に文字情報を破線矢印Ｙ１で示すように移動体通信網１１を介して発信側交換機１２へ送信する。
【００１５】
なお、本実施の形態において、文字情報は、単に文字のみでなく、絵や画像を付加したコンテンツ情報を含むものとする。また、文字情報の入力はキー操作で直接入力する以外に、ファイル等を指定して入力する種々の方法が考えられる。
発信側交換機１２は、発ＭＳ２１からの発信要求信号を受信した際に、破線矢印Ｙ２で示すようにＳＣＰ１３に通話先の着ＭＳ２２に係るサービス問合せを行う。このサービス問合せによってＳＣＰ１３から留守番電話を起動するか否かの指示である留守電起動指示の応答が返信されてきた場合、ユーザに留守電に接続するか否かの案内を音声等で通知するための留守電接続ガイダンスの信号を発ＭＳ２１へ返信する。
【００１６】
また、発信側交換機１２は、ＳＣＰ１３からの留守電起動指示を受信後、文字情報設定送信装置１２ａによって、発ＭＳ２１を留守番電話センタ１４へ接続する要求指示信号である留守番電話センタ接続要求指示信号に文字情報を設定した後、この留守番電話センタ接続要求指示信号を破線矢印Ｙ３で示すように留守番電話センタ１４へ送信する。
ＳＣＰ１３は、発信側交換機１２のサービス問合せに応じて、着信側交換機１６への問合せを併用して着ＭＳ２２の電源オン／オフ状態や在圏情報等から通話可能状態か否かを確認し、また、加入者ＤＢ１３ａを参照して着ＭＳ２２がどの様なサービスに加入しているかの確認（付加サービス契約確認）、並びに、留守番電話が活性されているか否かの確認（留守電活性状態確認）を行う。
【００１７】
これら確認によって着ＭＳ２２が通話不能状態で留守電活性状態であると、ＳＣＰ１３は、破線矢印Ｙ２で示すように、発信側交換機１２への応答として留守電起動指示を返す。
一方、ＳＣＰ１３で着ＭＳ２２が通話可能状態と確認された場合、上記の発ＭＳ２１から送信された文字情報は、着信側交換機１６を介して着ＭＳ２２へ着信と共に通知されて当該着ＭＳ２２のディスプレイに表示されるようになっている。
【００１８】
留守番電話センタ１４は、発信側交換機１２から留守番電話センタ接続要求指示信号を受信すると、一般的な処理として、破線矢印Ｙ３で示すように、発信側交換機１２への接続応答並びに、課金開始指示の信号を発信側交換機１２へ返信し、また、留守番電話センタ１４に接続されたことを音声等で案内するガイダンスを発ＭＳ２１へ送信する。
更に、留守番電話センタ１４は、先の留守番電話センタ接続要求指示信号の受信時に、ＳＭＳ変換送信装置１４ａによって、その受信信号中に設定された文字情報をＳＭＳ信号に変換した後、破線矢印Ｙ４で示すように、ＳＣ１５にショートメッセージ転送要求を行い、そのＳＭＳ信号を送信する。その転送要求がＳＣ１５で適正に受け付けられると、ＳＣ１５から破線矢印Ｙ４で示すように、そのショートメッセージ転送応答が返信されてくるので当該応答を受信後に、ショートメッセージ転送要求の処理を終了する。
【００１９】
ＳＣ１５は、留守番電話センタ１４から転送されてきたＳＭＳ信号による文字情報を発着信の電話番号に対応付けてＳＭＳ蓄積配信装置１５ａに蓄積し、この蓄積後にショートメッセージ転送応答を留守番電話センタ１４へ返信する。この後、着信側交換機１６からの在圏情報等の参照によって着ＭＳ２２が通話可能状態となったことが確認された場合に、蓄積された文字情報をＳＭＳ信号によって、破線矢印Ｙ５及びＹ６に示すように、着信側交換機１６を介して着ＭＳ２２へ配信する。
【００２０】
次に、このような構成の電話着信時文字表示システム１０において、発ＭＳ２１から発信時に送信された文字情報を着ＭＳ２２が着信時に表示する際の動作を、図２に示すシーケンス図を参照して説明する。
まず、ステップＳ１において、発ＭＳ２１でユーザが通話発信時に、キー操作によって相手に伝言する文字情報を入力したとすると、ステップＳ２において、その入力文字情報が発信要求信号に設定（重畳）される。その後、ユーザが発信操作を行うと、ステップＳ３において、文字情報が設定された発信要求信号が発信側交換機１２へ送信される。
【００２１】
この発信要求信号が発信側交換機１２で受信されると、ステップＳ４において、ＳＣＰ１３に通話先の着ＭＳ２２に係るサービス問合せが行われる。このサービス問合せにより、ステップＳ５において、ＳＣＰ１３で、着信側交換機１６への問合せを併用して着ＭＳ２２の電源オン／オフ状態や在圏情報等から通話可能状態か否かと、加入者ＤＢ１３ａの参照により着ＭＳ２２がどの様なサービスに加入しているかの付加サービス契約確認が行われる。これと並列に、ステップＳ６において、留守番電話が活性されているか否かの留守電活性状態確認が行われる。
【００２２】
ここで、着ＭＳ２２が通話可能状態と確認された場合、上記の発ＭＳ２１から送信された文字情報は、発信側交換機１２から着信側交換機１６を介して着ＭＳ２２へ着信と共に通知されて当該着ＭＳ２２のディスプレイに表示される。
一方、着ＭＳ２２が通話不能状態で留守電活性状態であると確認された場合、ステップＳ７において、ＳＣＰ１３から発信側交換機１２へ、応答として留守電起動指示の信号が返信される。
【００２３】
この信号が発信側交換機１２で受信されると、ステップＳ８において、留守電接続ガイダンスの信号が発ＭＳ２１へ返信される。これによって、発ＭＳ２１からユーザに留守電に接続するか否かの案内が音声で通知される。
更に、発信側交換機１２においては、ステップＳ９にて、ＳＣＰ１３からの留守電起動指示の受信後、発ＭＳ２１を留守番電話センタ１４へ接続するための留守番電話センタ接続要求指示信号に文字情報が設定される。この設定後の留守番電話センタ接続要求指示信号が、ステップＳ１０において、発信側交換機１２から留守番電話センタ１４へ送信される。
【００２４】
この留守番電話センタ接続要求指示信号を受信した留守番電話センタ１４からは、ステップＳ１１において、発信側交換機１２への接続応答が行われ、この応答を受信した発信側交換機１２からは、ステップＳ１２において、発ＭＳ２１へ呼出中（未送達通知）が送信される。
更に、留守番電話センタ接続要求指示信号を受信した留守番電話センタ１４からは、ステップＳ１３において、課金開始指示の信号が発信側交換機１２へ返信され、この指示を受信した発信側交換機１２によって、ステップＳ１４にて、発ＭＳ２１に対して課金のための接続が実施される。
【００２５】
更に、留守番電話センタ１４では、先の留守番電話センタ接続要求指示信号の受信時に、ステップＳ１６において、その受信信号中に設定された文字情報がＳＭＳ信号に変換され、この後、ステップＳ１７において、ＳＣ１５へのショートメッセージ転送要求によってそのＳＭＳ信号が送信される。また、ステップＳ１８において、留守番電話センタ１４に接続されたことを音声で案内するガイダンスの信号が発ＭＳ２１へ送信される。
【００２６】
上記のショートメッセージ転送要求を受けたＳＣ１５では、ステップＳ１９において、留守番電話センタ１４から転送されてきたＳＭＳ信号による文字情報が、発着信の電話番号に対応付けられてＳＭＳ蓄積配信装置１５ａに蓄積される。この蓄積後に、ステップＳ２０において、ショートメッセージ転送応答が留守番電話センタ１４へ返信される。
この後、ＳＣ１５において、着信側交換機１６からの在圏情報等の参照によって着ＭＳ２２が通話可能状態となったことが確認されたとする。この場合、ステップＳ２１において、蓄積された文字情報がＳＭＳ信号によって、ステップＳ２２，Ｓ２３において、着信側交換機１６を介して着ＭＳ２２へ配信される。これによって、着ＭＳ２２に発ＭＳ２１からの文字情報が発信電話番号とともに表示される。
【００２７】
このように、第１の実施の形態の電話着信時文字表示システム１０によれば、発信側交換機１２において、発ＭＳ２１の発信時に入力された文字情報の設定された発信要求信号を受信した際に、加入者情報管理用のサービスコントロールポイントであるＳＣＰ１３から着ＭＳ２２の留守番電話起動状態が通知されると、文字情報設定送信装置（文字情報設定送信手段）１２ａによって、発ＭＳ２１を留守番電話センタ１４へ接続するための留守番電話センタ接続要求指示信号（接続要求信号）に文字情報を設定し、この設定後の接続要求信号を留守番電話センタ１４へ送信する。
【００２８】
留守番電話センタ１４において、先の文字情報が設定された接続要求信号を受信した際に、ＳＭＳ変換送信装置１４ａによって、その受信信号中の文字情報をショートメッセージであるＳＭＳ信号に変換した後、ＳＭＳ蓄積用のサーバであるＳＣ１５へ送信する。
ＳＣ１５において、ＳＭＳ信号に変換された文字情報を受信して発信電話番号に対応付けてＳＭＳ蓄積配信装置１５ａに蓄積し、この蓄積された文字情報及び発信電話番号を、着ＭＳ２２が通話可能状態となった際にＳＭＳ信号によってその着ＭＳ２２へ配信するようにした。
【００２９】
これによって、着ＭＳ２２が例えば通信圏外に存在する通話不能状態であっても、発ＭＳ２１での発信時に文字情報を入力して発信する１度の発信操作で発信を行っておけば、着信側携帯電話機が圏内に復帰する通話可能状態となった際に、先に発信された文字情報を発信電話番号とともに表示させることができる。従って、重要な伝言でも文字情報によって確実に相手に伝えることができ、しかもショートメッセージなので相手側が無料でそれを受信して表示することができるメリットもある。
（第２の実施の形態）
図３は、本発明の第２の実施の形態に係る電話着信時文字表示システムの動作を説明するためのシーケンス図である。
【００３０】
第２の実施の形態の電話着信時文字表示システムが第１の実施の形態と異なる点は、第１の実施の形態で説明した留守番電話センタ１４へのアクセスによらずとも、着ＭＳ２２の通話状態を確認して文字情報を配信可能としたことにある。
これを実現するため、発信側交換機１２に、図３に示すように着信側通話状態確認装置１２ｂ及びＳＭＳ変換送信装置１２ｃ、並びに、第１の実施の形態同様に文字情報設定送信装置１２ａを備えると共に、ＳＣ１５にＳＭＳ蓄積配信装置１５ａを備えた。
【００３１】
着信側通話状態確認装置１２ｂは、発ＭＳ２１からの発信要求信号を受信した際に、この発信要求信号で示される発信先の着ＭＳ２２が通話可能状態か否かを確認する着信側通話状態問合せを行い、これに応じたＳＣＰ１３の応答内容から着ＭＳ２２が通話可能状態か通話不能状態かを確認する。
ＳＭＳ変換送信装置１２ｃは、着信側通話状態確認装置１２ｂで着ＭＳ２２が通話不能状態と確認された際に、発信要求信号中に設定された文字情報をＳＭＳ信号に変換した後、ＳＣ１５にショートメッセージ転送要求を行い、そのＳＭＳ信号を送信する。その転送要求がＳＣ１５で適正に受け付けられると、ＳＣ１５からショートメッセージ転送応答が返信されてくるので当該応答を受信後に、ショートメッセージ転送要求の処理を終了する。
【００３２】
次に、このような構成の電話着信時文字表示システムにおいて、発ＭＳ２１から発信時に送信された文字情報を着ＭＳ２２が着信時に表示する際の動作を、図３に示すシーケンス図を参照して説明する。
まず、ステップＳ３１において、発ＭＳ２１でユーザが通話発信時に、キー操作によって相手に伝言する文字情報を入力したとすると、ステップＳ３２において、その入力文字情報が発信要求信号に設定（重畳）される。その後、ユーザが発信操作を行うと、ステップＳ３３において、文字情報が設定された発信要求信号が発信側交換機１２へ送信される。
【００３３】
この発信要求信号が発信側交換機１２で受信されると、ステップＳ３４において、着信側通話状態確認装置１２ｂによって、その発信要求信号で示される発信先の着ＭＳ２２が通話可能状態か否かを確認する着信側通話状態問合せがＳＣＰ１３に行われる。
これによって、ステップＳ３５において、ＳＣＰ１３で、着信側交換機１６への問合せを併用して着ＭＳ２２の電源オン／オフ状態や在圏情報等から通話可能状態か否かが確認される。
【００３４】
ここで、着ＭＳ２２が通話可能状態と確認された場合、上記の発ＭＳ２１から送信された文字情報は、発信側交換機１２から着信側交換機１６を介して着ＭＳ２２へ着信と共に通知されて当該着ＭＳ２２のディスプレイに表示される。
一方、着ＭＳ２２が通話不能状態で留守電活性状態であると確認された場合、ステップＳ３６において、ＳＣＰ１３から発信側交換機１２へ、通話不能状態の応答が返信される。発信側交換機１２の着信側通話状態確認装置１２ｂでは、その応答から着ＭＳ２２が通話不能状態と確認される。
【００３５】
この確認によって、ＳＭＳ変換送信装置１２ｃでは、ステップＳ３７において、既に受信済みの発信要求信号中に設定された文字情報がＳＭＳ信号に変換され、この後、ＳＣ１５へのショートメッセージ転送要求によってそのＳＭＳ信号が送信される。
このショートメッセージ転送要求を受けたＳＣ１５では、ステップＳ３８において、留守番電話センタ１４から転送されてきたＳＭＳ信号による文字情報が、発着信の電話番号に対応付けられてＳＭＳ蓄積配信装置１５ａに蓄積される。この蓄積後に、ステップＳ３９において、ショートメッセージ転送応答が発信側交換機１２へ返信される。
【００３６】
この後、ＳＣ１５において、着信側交換機１６からの在圏情報等の参照によって着ＭＳ２２が通話可能状態となったことが確認されると、ステップＳ４０において、蓄積された文字情報がＳＭＳ信号によって、ステップＳ４１，Ｓ４２において、着信側交換機１６を介して着ＭＳ２２へ配信される。これによって、着ＭＳ２２に発ＭＳ２１からの文字情報が発信電話番号とともに表示される。
【００３７】
このように、第２の実施の形態の電話着信時文字表示システムによれば、発信側交換機１２が発ＭＳ２１からの発信要求信号を受信した際に、着信側通話状態確認装置１２ｂによって、ＳＣＰ１３に対して問合せを行うことで、その発信要求信号で示される発信先の着ＭＳ２２が通話可能状態か否かを確認する。これにて通話不能状態と確認された際に、ＳＭＳ変換送信装置１２ｃによって、先の発信要求信号中の文字情報をＳＭＳ信号に変換した後、ＳＣ１５へ送信する。ＳＣ１５は、ＳＭＳ蓄積装置１５ａによって、ＳＭＳ信号に変換された文字情報を受信して発信電話番号に対応付けて蓄積し、この蓄積された発信電話番号及び文字情報を、着ＭＳ２２が通話可能状態となった際にＳＭＳ信号によって着ＭＳ２２へ配信する。
【００３８】
これによって、着ＭＳ２２が例えば通信圏外に存在する通話不能状態であっても、発ＭＳ２１での発信時に文字情報を入力して発信する１度の発信操作で発信を行っておけば、着信側携帯電話機が圏内に復帰する通話可能状態となった際に、先に発信された文字情報を発信電話番号とともに表示させることができる。従って、重要な伝言でも文字情報によって確実に相手に伝えることができ、しかもショートメッセージなので相手側が無料でそれを受信して表示することができるメリットもある。また、第２の実施の形態では、第１の実施の形態のように留守番電話センタ１４を経由しないので、その分、システム全体の簡略化を図ることができる。
【図面の簡単な説明】
【００３９】
【図１】本発明の第１の実施の形態に係る電話着信時文字表示システムの構成を示すブロック図である。
【図２】第１の実施の形態の電話着信時文字表示システムにおいて、発信時に送信された文字情報を着信側携帯電話機の着信時に表示する際の動作を説明するためのシーケンス図である。
【図３】本発明の第２の実施の形態に係る電話着信時文字表示システムにおいて、発信時に送信された文字情報を着信側携帯電話機の着信時に表示する際の動作を説明するためのシーケンス図である。
【符号の説明】
【００４０】
１０  電話着信時文字表示システム
１１  移動体通信網
１２  発信側交換機（発ＬＭＭＳ）
１２ａ  文字情報設定送信装置
１２ｂ  着信側通話状態確認装置
１２ｃ  ＳＭＳ変換送信装置
１３  ＳＣＰ
１３ａ  加入者ＤＢ
１４  留守番電話センタ（ＮＭＩＳ）
１４ａ  ＳＭＳ変換送信装置
１５  ＳＣ
１５ａ  ＳＭＳ蓄積配信装置
１６  着信側交換機（着ＬＭＭＳ）
２１  発ＭＳ（発信側携帯電話機）
２２  着ＭＳ（着信側携帯電話機）
【図１】
2008022342.tif 000003
【図２】
2008022342.tif 000004
【図３】
2008022342.tif 000005